(57)【要約】【課題】情報処理装置の稼働率を低下させることなく、低消費電力を実現することができる情報処理装置を提供する。【解決手段】本発明に係る情報処理装置は、情報処理装置２０に送信された被処理情報受信予定時刻を記憶する受信予定時刻記憶部２４と、情報処理装置２０を情報処理可能な状態から第１の省電力モードに移行するまでの時間（第１の省電力モード移行時間）、及び情報処理装置２０を第１の省電力モードから情報処理可能な状態に復帰するまでの時間（第１の復帰時間）を記憶する復帰時間記憶部２７と、第１の省電力移行モード時間と第１の復帰時間の和が現在の時刻から受信予定時刻までの時間よりも短い場合に、情報処理装置２０を第１の省電力モードに移行し、かつ受信予定時刻から第１の復帰時間前の時刻になった場合に、情報処理装置２０を第１の省電力モードから情報処理可能な状態へ復帰させ始める制御部２６とを具備する。【選択図】図３
2008197948.tif 000002
【特許請求の範囲】
【請求項１】
有線通信又は無線通信を介して受信した被処理情報を処理する情報処理装置であって、
前記有線通信又は無線通信を介して前記情報処理装置に送信された時刻情報に示された、前記被処理情報の受信予定時刻を記憶する受信予定時刻記憶部と、
前記情報処理装置を情報処理可能な状態から前記第１の省電力モードに移行するまでに必要な時間である第１の省電力モード移行時間、及び前記情報処理装置を第１の省電力モードから情報処理可能な状態に復帰するまでに必要な時間である第１の復帰時間を記憶する復帰時間記憶部と、
前記第１の省電力移行モード時間と前記第１の復帰時間の和が現在の時刻から前記受信予定時刻までの時間よりも短い場合に、前記情報処理装置を第１の省電力モードに移行し、かつ前記受信予定時刻記憶部が記憶している前記受信予定時刻から前記第１の復帰時間前の時刻になった場合に、前記情報処理装置を前記第１の省電力モードから情報処理可能な状態へ復帰させ始める制御部と、
を具備する情報処理装置。
【請求項２】
前記制御部は、前記情報処理装置を、前記第１の省電力モードより省電力であり、かつ前記第１の省電力モードより情報処理可能な状態へ復帰するまでに時間を要する第２の省電力モードに移行させることが可能であり、
前記復帰時間記憶部は、更に、前記情報処理装置を情報処理可能な状態から前記第２の省電力モードに移行するまでに必要な時間である第２の省電力モード移行時間、及び前記第２の省電力モードから情報処理可能な状態に復帰するまでに必要な時間である第２の復帰時間を記憶し、
前記第１の省電力モード移行時間と前記第１の復帰時間の和は、前記第２の省電力モード移行時間と前記第２の復帰時間の和より短く、
前記制御部は、前記情報処理装置が情報処理可能な状態である場合に、以下の（１）、（２）、又は（３）に示す処理を行うことを特徴とすることを特徴とする請求項１に記載の情報処理装置。
（１）現在の時刻から前記受信予定時刻までの時間が、前記第１の省電力モード移行時間と前記第１の復帰時間の和より短いときには、前記情報処理装置を情報処理可能な状態に維持する。
（２）現在の時刻から前記受信予定時刻までの時間が、前記第１の省電力モード移行時間と前記第１の復帰時間の和より長く、前記第２の省電力モード移行時間と前記第２の復帰時間の和より短いときには、前記情報処理装置を第１の省電力モードに落とす。
（３）現在の時刻から前記受信予定時刻までの時間が、前記第２の省電力モード移行時間と前記第２の復帰時間の和より長いときには、前記情報処理装置を第２の省電力モードに落とす。
【請求項３】
前記制御部は、前記情報処理装置を前記第１の省電力モードから情報処理可能な状態へ復帰している間に、前記情報処理装置が他の前記被処理情報の受信予定時刻を示す時刻情報を受信し、かつ該受信予定時刻が前記情報処理装置の復帰完了予定時刻より前の時刻を示している場合、通常の復帰方法より消費電力が大きく復帰時間が短い方法を用いて、前記情報処理装置を情報処理可能な状態へ復帰させる請求項１に記載の情報処理装置。
【請求項４】
前記情報処理装置の主電源と、
前記受信予定時刻を示す時刻情報を送信する外部装置に接続した信号線によってオン／オフが制御される、前記主電源のスイッチと、
を具備する請求項１〜３のいずれか一項に記載の情報処理装置。
【請求項５】
前記情報処理装置は印刷装置であり、前記被処理情報を印刷する請求項１〜４のいずれか一項に記載の情報処理装置。
【請求項６】
有線通信又は無線通信を介して受信した被処理情報を処理する情報処理装置と、前記被処理情報を前記有線通信又は無線通信を介して前記情報処理装置に送信する情報送信装置と、を具備する情報処理システムであって、
前記情報処理装置は、
前記有線通信又は無線通信を介して前記情報処理装置に送信された時刻情報に示された、前記被処理情報の受信予定時刻を記憶する受信予定時刻記憶部と、
前記情報処理装置を情報処理可能な状態から前記第１の省電力モードに移行するまでに必要な時間である第１の省電力モード移行時間、及び前記情報処理装置を第１の省電力モードから情報処理可能な状態に復帰するまでに必要な時間である第１の復帰時間を記憶する復帰時間記憶部と、
前記第１の省電力移行モード時間と前記第１の復帰時間の和が現在の時刻から前記受信予定時刻までの時間よりも短い場合に、前記情報処理装置を第１の省電力モードに移行し、かつ前記受信予定時刻記憶部が記憶している前記受信予定時刻から前記第１の復帰時間前の時刻になった場合に、前記情報処理装置を前記第１の省電力モードから情報処理可能な状態へ復帰させ始める制御部と、
を具備し、
前記情報送信装置は、
前記受信予定時刻を示す時刻情報を前記有線通信又は無線通信を介して前記情報処理装置に送信する通信部を具備する情報処理システム。
【請求項７】
有線通信又は無線通信を介して受信した被処理情報を処理する情報処理装置の制御方法であって、
前記情報処理装置に、該情報処理装置を情報処理可能な状態から前記第１の省電力モードに移行するまでに必要な時間である第１の省電力モード移行時間、及び前記情報処理装置を省電力モードである省電力モードから情報処理可能な状態に復帰するまでに必要な時間である復帰時間を予め記憶させ、
前記情報処理装置に、前記有線通信又は無線通信を介して送信された時刻情報によって示された、前記被処理情報の受信予定時刻を記憶させ、
前記第１の省電力移行モード時間と前記第１の復帰時間の和が現在の時刻から前記受信予定時刻までの時間よりも短い場合に、前記情報処理装置が有する制御部が、前記情報処理装置を省電力モードに移行し、かつ前記受信予定時刻記憶部が記憶している前記受信予定時刻から前記復帰時間前の時刻になった場合に、前記情報処理装置を前記省電力モードから情報処理可能な状態へ復帰させ始める情報処理装置の制御方法。
【発明の詳細な説明】
【技術分野】
【０００１】
本発明は、情報処理装置、情報処理システム、及び情報処理装置の制御方法に関する。特に本発明は、情報処理装置の稼働率を低下させることなく、低消費電力を実現することができる情報処理装置、情報処理システム、及び情報処理装置の制御方法に関する。
【背景技術】
【０００２】
図１２は、従来の情報処理装置の動作を説明するためのチャートである。本図では、情報処理装置の一例である印刷装置の動作を示している。従来の印刷装置は、印刷データがしばらく送信されてこなかった場合に、スタンバイ状態からスリープモードに移行し、消費電力が少なくなるようにしている（例えば特許文献１参照）。そして印刷データを受信した場合に、スリープモードからのスタンバイ状態（印刷可能な状態）への復帰を開始し、一定時間経過後にスタンバイ状態になり、その後、受信したデータを印刷する。
【特許文献１】特開２００６−２５１１９４号公報（第２段落）
【発明の開示】
【発明が解決しようとする課題】
【０００３】
上記したように従来の情報処理装置は、被処理情報（例えば印刷データ）を受信した場合にスリープモードからの復帰が開始する。このため、被処理情報を送信してから処理を開始するまでに時間を要し、情報処理装置の稼働率を低下させていた。
【０００４】
本発明は上記のような事情を考慮してなされたものであり、その目的は、情報処理装置の稼働率を低下させることなく、低消費電力を実現することができる情報処理装置、情報処理システム、及び情報処理装置の制御方法を提供することにある。
【課題を解決するための手段】
【０００５】
上記課題を解決するため、本発明に係る情報処理装置は、有線通信又は無線通信を介して受信した被処理情報を処理する情報処理装置であって、
前記有線通信又は無線通信を介して前記情報処理装置に送信された時刻情報に示された、前記被処理情報の受信予定時刻を記憶する受信予定時刻記憶部と、
前記情報処理装置を情報処理可能な状態から前記第１の省電力モードに移行するまでに必要な時間である第１の省電力モード移行時間、及び前記情報処理装置を第１の省電力モードから情報処理可能な状態に復帰するまでに必要な時間である第１の復帰時間を記憶する復帰時間記憶部と、
前記第１の省電力移行モード時間と前記第１の復帰時間の和が現在の時刻から前記受信予定時刻までの時間よりも短い場合に、前記情報処理装置を第１の省電力モードに移行し、かつ前記受信予定時刻記憶部が記憶している前記受信予定時刻から前記第１の復帰時間前の時刻になった場合に、前記情報処理装置を前記第１の省電力モードから情報処理可能な状態へ復帰させ始める制御部と、
を具備する。
【０００６】
この情報処理装置によれば、前記受信予定時刻記憶部には、予め送信されてきた前記受信予定時刻が記憶されている。そして前記制御部は、前記受信予定時刻に前記情報処理装置が情報処理可能な状態になるように、前記第１の省電力モードからの復帰開始時刻を決定し、この時刻に復帰を開始する。このため、外部から受信した前記被処理情報をすぐに処理することができる。従って、前記第１の省電力モードで低消費電力を実現し、かつ前記情報処理装置の待機時間を短くして稼働率を向上させることができる。
【０００７】
前記制御部は、前記情報処理装置を、前記第１の省電力モードより省電力であり、かつ前記第１の省電力モードより情報処理可能な状態へ復帰するまでに時間を要する第２の省電力モードに移行させることが可能である場合、前記復帰時間記憶部は、更に、前記情報処理装置を情報処理可能な状態から前記第２の省電力モードに移行するまでに必要な時間である第２の省電力モード移行時間、及び前記第２の省電力モードから情報処理可能な状態に復帰するまでに必要な時間である第２の復帰時間を記憶するのが好ましい。この場合、前記第１の省電力モード移行時間と前記第１の復帰時間の和は、前記第２の省電力モード移行時間と前記第２の復帰時間の和より短い。そして前記制御部は、前記情報処理装置が情報処理可能な状態である場合に、以下の（１）、（２）、又は（３）に示す処理を行ってもよい。
（１）現在の時刻から前記受信予定時刻までの時間が、前記第１の省電力モード移行時間と前記第１の復帰時間の和より短いときには、前記情報処理装置を情報処理可能な状態に維持する。
（２）現在の時刻から前記受信予定時刻までの時間が、前記第１の省電力モード移行時間と前記第１の復帰時間の和より長く、前記第２の省電力モード移行時間と前記第２の復帰時間の和より短いときには、前記情報処理装置を第１の省電力モードに落とす。
（３）現在の時刻から前記受信予定時刻までの時間が、前記第２の省電力モード移行時間と前記第２の復帰時間の和より長いときには、前記情報処理装置を第２の省電力モードに落とす。
【０００８】
前記制御部は、前記情報処理装置を前記第１の省電力モードから情報処理可能な状態へ復帰している間に、前記情報処理装置が他の前記被処理情報の受信予定時刻を示す時刻情報を受信し、かつ該受信予定時刻が前記情報処理装置の復帰完了予定時刻より前の時刻を示している場合、通常の復帰方法より消費電力が大きく復帰時間が短い方法を用いて、前記情報処理装置を情報処理可能な状態へ復帰させてもよい。
【０００９】
前記情報処理装置の主電源と、前記受信予定時刻を示す時刻情報を送信する外部装置に接続した信号線によってオン／オフが制御される、前記主電源のスイッチとを具備してもよい。
【００１０】
前記情報処理装置は例えば印刷装置であり、前記被処理情報を印刷する。
【００１１】
本発明に係る情報処理システムは、有線通信又は無線通信を介して受信した被処理情報を処理する情報処理装置と、前記被処理情報を前記有線通信又は無線通信を介して前記情報処理装置に送信する情報送信装置と、を具備する情報処理システムであって、
前記情報処理装置は、
前記有線通信又は無線通信を介して前記情報処理装置に送信された時刻情報に示された、前記被処理情報の受信予定時刻を記憶する受信予定時刻記憶部と、
前記情報処理装置を情報処理可能な状態から前記第１の省電力モードに移行するまでに必要な時間である第１の省電力モード移行時間、及び前記情報処理装置を第１の省電力モードから情報処理可能な状態に復帰するまでに必要な時間である第１の復帰時間を記憶する復帰時間記憶部と、
前記第１の省電力移行モード時間と前記第１の復帰時間の和が現在の時刻から前記受信予定時刻までの時間よりも短い場合に、前記情報処理装置を第１の省電力モードに移行し、かつ前記受信予定時刻記憶部が記憶している前記受信予定時刻から前記第１の復帰時間前の時刻になった場合に、前記情報処理装置を前記第１の省電力モードから情報処理可能な状態へ復帰させ始める制御部と、  前記情報送信装置は、
前記受信予定時刻を示す時刻情報を前記有線通信又は無線通信を介して前記情報処理装置に送信する通信部を具備する。
【００１２】
本発明に係る情報処理装置の制御方法は、有線通信又は無線通信を介して受信した被処理情報を処理する情報処理装置の制御方法であって、
前記情報処理装置に、該情報処理装置を情報処理可能な状態から前記第１の省電力モードに移行するまでに必要な時間である第１の省電力モード移行時間、及び前記情報処理装置を省電力モードである省電力モードから情報処理可能な状態に復帰するまでに必要な時間である復帰時間を予め記憶させ、
前記情報処理装置に、前記有線通信又は無線通信を介して送信された時刻情報によって示された、前記被処理情報の受信予定時刻を記憶させ、
前記第１の省電力移行モード時間と前記第１の復帰時間の和が現在の時刻から前記受信予定時刻までの時間よりも短い場合に、前記情報処理装置が有する制御部が、前記情報処理装置を省電力モードに移行し、かつ前記受信予定時刻記憶部が記憶している前記受信予定時刻から前記復帰時間前の時刻になった場合に、前記情報処理装置を前記省電力モードから情報処理可能な状態へ復帰させ始める。
【発明を実施するための最良の形態】
【００１３】
以下、図面を参照して本発明の実施形態について説明する。図１は本発明の第１の実施形態に係る情報処理システムの構成を説明するための概略図である。本図に示す情報処理装置は、複数の情報処理端末（例えばパーソナルコンピューター）１０と印刷装置２０を、通信回線２を介して接続したものである。通信回線２は、例えば社内ＬＡＮであるが、有線でも無線でも良い。
【００１４】
情報処理端末１０は、印刷データを印刷装置２０に送信する予定時刻を示す受信予定時刻情報を、予め印刷装置２０に送信しておく。印刷装置２０は、情報処理端末１０から受信した受信予定時刻情報が示す時刻にスタンバイ状態になるように、予めスリープモードからの復帰を開始する。以下、詳細を説明する。
【００１５】
図２は、情報処理端末１０の構成を説明するためのブロック図である。情報処理端末１０は、処理制御部１２、入力部１３、記憶部１４、表示部１６、及び通信部１８を有する。記憶部１４は、情報処理端末１０が処理すべき情報を記憶している。入力部１３は例えばキーボードであり、情報処理端末１０の操作者によってデータ及び指示情報を入力される機能を有する。処理制御部１２は、情報処理端末１０の各部分を制御し、かつ記憶部１４が記憶している情報を、入力部１３から入力された指示に従って処理する。表示部１６は、処理制御部１２からの指示に従って各種情報を表示して操作者に認識させる。通信部１８は、処理制御部１２からの指示に従って、各種情報を通信回線２を介して印刷装置２０に送信する。通信部１８が送信する情報には、印刷装置２０で印刷される情報（以下、被印刷情報と記載）、及び被印刷情報が送信される予定時刻を示す情報（以下、受信予定時刻情報と記載）が含まれる。なお、処理制御部１２が行う処理の詳細は、フローチャートを用いて後述する。
【００１６】
図３は、印刷装置２０の構成を説明するためのブロック図である。印刷装置２０は通信部２２、受信予定時刻記憶部２４、制御部２６、復帰時間記憶部２７、及び印刷部２８を有する。通信部２２は、通信回線２を介して情報処理端末１０から送信された情報を受信し、また通信回線２を介して情報処理端末１０に各種情報を送信する。
【００１７】
印刷部２８は、情報処理端末１０から送信された被印刷情報を印刷する。制御部２６は、印刷装置２０の各部分を制御する。例えば制御部２６は、予め定められた時間被処理情報を受信しない場合に印刷部２８をスリープモード（省電力モード）にし、かつスリープモードにある印刷部２８をスタンバイ状態（印刷可能な状態）に復帰させる。なお、印刷部２８は、例えば印刷部２８内の加熱ローラの予備加熱を中止することによりスリープモードになる。
なお、制御部２６が行う処理の詳細は、フローチャートを用いて後述する。
【００１８】
受信予定時刻記憶部２４は、情報処理端末１０から送信された受信予定時刻情報が示す時刻を記憶する。
復帰時間記憶部２７は、印刷部２８がスタンバイ状態からスリープモードになるまでに必要な時間であるスリープモード移行時間、及びスリープモードからスタンバイ状態に復帰するまでに必要な時間である復帰時間を記憶する。スリープモードが複数段階ある場合、復帰時間記憶部２７は、各段階別にスリープモード移行時間及び復帰時間を記憶する。
【００１９】
図４は、印刷装置２０が受信予定時刻を記憶するときのシステムの動作を説明するためのフローチャートである。まず情報処理端末１０の処理制御部１２は、入力部１３に入力された指示に従って、記憶部１４に記憶されている被処理情報を表示部１６にプレビュー表示させる（Ｓ２）。また処理制御部１２は、プレビュー表示が行われたことをトリガーにして、受信予定時刻情報を、通信部１８を介して印刷装置２０に送信する（Ｓ４）。処理制御部１２は、例えばプレビュー表示を行ったときから一定時間後の時刻を受信予定時刻とする。印刷装置２０の制御部２６は、通信部２２を介して受信予定時刻情報を受信すると、受信予定時刻情報が示す受信予定時刻を、受信予定時刻記憶部２４に記憶させる（Ｓ６）。
【００２０】
図５は、印刷装置２０が被処理情報を印刷するときのシステムの動作の第１例を説明するためのフローチャートである。本図に示す例において、印刷装置２０は予めスリープモードになっている。また、情報処理端末１０の処理制御部１２及び印刷装置２０の制御部２６は、本図に示す動作から独立して、図４に示した動作を行っている。
【００２１】
まず印刷装置の制御部２６は、一定時間ごと（例えば２秒ごと）に、受信予定時刻記憶部２４が記憶している受信予定時刻のうち、最も早い受信予定時刻を読み出し（Ｓ１０）、読み出した受信予定時刻を示す時刻情報を全ての情報処理端末１０に送信する（Ｓ１１）。各情報処理端末１０の処理制御部１２は、通信部１８を介して受信した時刻情報が示す受信予定時刻を表示部１６に表示させ、情報処理端末１０の操作者に認識させる（Ｓ１２）。
【００２２】
また制御部２６は、復帰時間記憶部２７から復帰時間を読み出し、Ｓ１０において読み出した受信予定時刻から復帰時間遡った時刻である復帰開始時刻を算出する（Ｓ１３）。復帰開始時刻が現在時刻より遅い場合（Ｓ１４：Ｎｏ）、制御部２６は、一定時間経過後に再びＳ１０以降の処理を行う。復帰開始時刻が現在時刻以前である場合（Ｓ１４：Ｙｅｓ）、制御部２６は、印刷部２８に、スリープモードからスタンバイ状態への復帰を開始させる（Ｓ１６）。
【００２３】
受信予定時刻になると、印刷装置の印刷部２８はスタンバイ状態になる（Ｓ１８）。印刷装置の制御部２６は、印刷部２８がスタンバイ状態になったことを示す復帰完了信号を情報処理端末１０に送信する（Ｓ２０）。情報処理端末１０の処理制御部１２は、通信部１８を介して復帰完了信号を受信すると、表示部１６に、印刷部２８がスタンバイ状態になったことを示す表示を行わせる（Ｓ２１）。その後、情報処理端末１０の処理制御部１２は、入力部１３から入力された指示情報に従って被処理情報を、通信部１８を介して印刷装置に送信する（Ｓ２２）。印刷装置の制御部２６は、通信部２２を介して被処理情報を受信すると、被処理情報を印刷部２８に出力し、印刷部２８に印刷させる（Ｓ２４）。
【００２４】
図６は、図５に示したフローチャートで行われる処理における、時刻と印刷装置２０の消費電力の関係を示す図である。本図に示すように、印刷装置２０の印刷部２８は、受信予定時刻にスタンバイ状態状態になる。このため、情報処理端末１０から送信されてきた被処理情報をすぐに印刷することができる。従って、スリープモードで低消費電力を実現し、かつ印刷装置２０の待機時間を短くして稼働率を向上させることができる。
【００２５】
図７は、印刷装置２０が被処理情報を印刷するときのシステムの動作の第２例を説明するための図である。本図は、上記した第１例の図６に相当する図であり、時刻と印刷装置２０の消費電力の関係を示している。本図に示す例は、第１例で印刷装置２０の印刷部２８がスリープモードからスタンバイ状態に復帰している途中に、当初予定していた受信予定時刻より早い時刻を示している第２の受信予定時刻情報を受信した場合を想定している。第２の受信予定時刻情報は、例えば当初予定していた受信予定時刻を送信した情報処理端末１０とは別の情報処理端末１０が送信する。
【００２６】
この場合、印刷装置２０の制御部２６は、通常の復帰方法より消費電力が大きい第２の復帰方法（例えば加熱ローラの加熱電力を大きくするなど）を行い、第２の受信予定時刻情報が示す時刻にスタンバイ状態になるようにする。
【００２７】
図８は、印刷装置２０がスリープモードに移行するときの制御部２６の動作を説明するためのフローチャートである。本図に示す処理において、印刷装置２０は消費電力が互いに異なる複数のスリープモードを有する。消費電力が少ないほど、スリープモード移行時間及び復帰時間が長くなる。なお本図に示す処理は、受信予定時刻情報を受信している場合の処理であり、本図に示す処理とは別に、受信予定時刻情報を一定時間受信しない場合、制御部２６は印刷装置２０をいずれかのスリープモードに移行させる。
【００２８】
制御部２６は、受信予定時刻記憶部２４に記憶されている受信予定時刻のうち最も早い受信予定時刻を読み出す（Ｓ３４）。次いで制御部２６は、復帰時間記憶部２７からスリープモード別の復帰時間及びスリープモード移行時間を読み出し、復帰時間とスリープモード移行時間の和をスリープモード別に算出する（Ｓ３６）。
【００２９】
いずれのスリープモードにおいてもＳ３６で算出した時間の和が、現在時刻から受信予定時刻までの時間より長い場合、制御部２６はスリープモードに移行することは不可能であると判断し、スタンバイ状態を維持する（Ｓ３８：Ｙｅｓ）。いずれかのスリープモードにおいてＳ３６で算出した時間の和が現在時刻から受信予定時刻までの時間より短い場合、制御部２６は、これらのスリープモードのうち最も消費電力が少ないスリープモードを選択する（Ｓ４０）。そして制御部２６は、全ての情報処理端末１０に、スリープモードへ移行することを示す情報を送信し（Ｓ４１）、印刷部２８を選択したスリープモードへ移行させる（Ｓ４２）。なお制御部２６は、いずれかの情報処理端末１０から、スタンバイ状態を維持することを希望することを示す情報を受信した場合、スタンバイ状態を継続する。
【００３０】
図９は、図８に示したフローチャートで行われる処理における、時刻と印刷装置２０の消費電力の関係を示す図である。本図に示す例において印刷装置２０は第１のスリープモードと第２のスリープモードを有する。第２のスリープモードは第１のスリープモードより消費電力が小さい。
【００３１】
印刷装置の制御部２６は、現在時刻から受信予定時刻までの時間が、第１のスリープモードにおける復帰時間及びスリープモード移行時間の和より長く、第２のスリープモードにおける復帰時間及びスリープモード移行時間の和より短い場合、第１のスリープモードを選択し、印刷部２８を第１のスリープモードに移行させる。また制御部２６は、現在時刻から受信予定時刻までの時間が、第２のスリープモードにおける復帰時間及びスリープモード移行時間の和より長い場合、第２のスリープモードを選択し、印刷部２８を第２のスリープモードに移行させる。なお、本図に示していないが、現在時刻から受信予定時刻までの時間が、第１のスリープモードにおける復帰時間及びスリープモード移行時間の和より短い場合、制御部２６は印刷部２８をスリープモードに移行させない。
【００３２】
以上、本発明の第１の実施形態によれば、情報処理端末１０は予め被処理情報を送信する予定時刻を示す受信予定時刻情報を印刷装置２０に送信する。印刷装置２０の制御部２６は、受信予定時刻に印刷部２８がスタンバイ状態状態になるように、スリープモードからスタンバイ状態への復帰開始時刻を決定する。このため、情報処理端末１０から送信されてきた被処理情報をすぐに印刷することができる。従って、スリープモードで低消費電力を実現し、かつ印刷装置２０の待機時間を短くして稼働率を向上させることができる。
【００３３】
図１０は、本発明の第２の実施形態に係る情報処理システムを構成する印刷装置２０の構成を説明するためのブロック図である。本図に示す印刷装置２０は、主電源２９の内部に、主電源をオンオフさせるスイッチ部（例えばソリッドステートリレーなど）が含まれている点、及び主電源２９内部のスイッチ部を情報処理端末１０の制御部がＵＳＢ等の電源ラインを含む回線３を介して制御する点を除いて、第１の実施形態と同様である。また情報処理システムの構成は、印刷装置２０の構成を除いて第１の実施形態と同様である。以下、第１の実施形態と同様の構成については同一の符号を付し、説明を省略する。
【００３４】
図１１は、図１０に示した印刷装置２０における、時刻と消費電力の関係を示す図である。本図において、情報処理端末１０の操作者は、一定時間被処理情報を印刷装置２０に送信しない（すなわち印刷を行わない）と判断した場合、主電源２９のスイッチを切る旨の入力を入力部１３に行う。次いで情報処理端末１０の処理制御部１２は、回線３を経由して主電源２９内のスイッチ部をオフにして、印刷装置２０の主電源をオフにする。
【００３５】
その後、情報処理端末１０の操作者は、一定時間ほど後に被処理情報を印刷装置２０に送信する（すなわち印刷を行う）と判断した場合、主電源２９のスイッチを入れる旨の入力を入力部１３に行う。次いで情報処理端末１０の処理制御部１２は、回線３を経由して主電源２９内のスイッチ部をオンにして、印刷装置２０の主電源をオンにする。次いで印刷装置２０の制御部２６はスリープモードになった後、復帰時間記憶部２７に記憶されている復帰時間を、スリープモードになったことを示す情報とともに、すべての情報処理端末１０に通知する。
【００３６】
その後の情報処理システムの動作は、第１の実施形態において図５を用いて説明した動作と同様である。また、第２の実施形態に係る情報処理システムの他の動作は、図１１に示す動作を行う点を除いて、第１の実施形態に係る情報処理システムの動作と略同様である。
【００３７】
以上、本実施形態によっても第１の実施形態と同様の効果を得ることができる。また、一定時間印刷装置２０が印刷を行わない場合、主電源をオフにすることができる。このため、印刷装置２０の消費電力を更に少なくすることができる。
【００３８】
尚、本発明は上述した実施形態に限定されるものではなく、本発明の主旨を逸脱しない範囲内で種々変更して実施することが可能である。例えば印刷装置２０以外の情報処理装置に本発明を適用しても良い。
【図面の簡単な説明】
【００３９】
【図１】第１の実施形態に係る情報処理システムの構成を説明するための概略図。
【図２】情報処理端末１０の構成を説明するためのブロック図。
【図３】印刷装置２０の構成を説明するためのブロック図。
【図４】印刷装置２０が受信予定時刻を記憶するときのシステムの動作を説明するためのフローチャート。
【図５】印刷装置２０が被処理情報を印刷するときのシステムの動作の第１例を説明するためのフローチャート。
【図６】図５に示したフローチャートで行われる処理における、時刻と印刷装置２０の消費電力の関係を示す図。
【図７】印刷装置２０が被処理情報を印刷するときのシステムの動作の第２例を説明するための図。
【図８】印刷装置２０がスリープモードに移行するときの制御部２６の動作を説明するためのフローチャート。
【図９】図８に示したフローチャートで行われる処理における、時刻と印刷装置２０の消費電力の関係を示す図。
【図１０】第２の実施形態に係る情報処理システムを構成する印刷装置２０の構成を説明するためのブロック図。
【図１１】図１０に示した印刷装置２０における、時刻と消費電力の関係を示す図。
【図１２】従来の情報処理装置の動作を説明するためのチャート。
【符号の説明】
【００４０】
２…通信回線、３…回線、１０…情報処理端末、１２…処理制御部、１３…入力部、１４…記憶部、１６…表示部、１８…通信部、２０…印刷装置、２２…通信部、２４…受信予定時刻記憶部、２６…制御部、２７…復帰時間記憶部、２８…印刷部、２９…主電源
【図１】
2008197948.tif 000003
【図２】
2008197948.tif 000004
【図３】
2008197948.tif 000005
【図４】
2008197948.tif 000006
【図５】
2008197948.tif 000007
【図６】
2008197948.tif 000008
【図７】
2008197948.tif 000009
【図８】
2008197948.tif 000010
【図９】
2008197948.tif 000011
【図１０】
2008197948.tif 000012
【図１１】
2008197948.tif 000013
【図１２】
2008197948.tif 000014